(57)【特許請求の範囲】
【請求項１】
容器本体開口部に螺着脱自在に設けられる飲料用容器の栓体において、前記栓体は、前記容器本体開口部に螺着脱自在に設けられて上部を該容器本体開口部より上方に突出させる筒体と、該筒体の上部に螺着脱自在に設けられて筒体開口部を開閉する蓋体とで構成され、
前記蓋体は、天井壁の一部に開口部を形成し、該天井壁内側に前記開口部を塞ぐとともに前記筒体開口部を覆う弾性シール部材を有し、前記開口部の周囲下面を囲む筒状の鍔部が形成され、前記弾性シール部材に前記鍔部を挟む折り曲げ部が形成され、
前記シール部材の塞ぎ部は前記容器本体内の圧力が上昇した際に、前記蓋体の開口部から外方向に膨らむことを特徴とすることを特徴とする飲料用容器の栓体。
【発明の詳細な説明】
【０００１】
【発明の属する技術分野】
本発明は、飲料用容器の栓体に関する。
【０００２】
【従来の技術】
飲料用容器では、容器本体の開口部と該開口部を開閉する蓋体との間、または、容器本体開口部に螺着脱自在に設けられる栓部材と該栓部材の開口部を開閉する蓋体との間に、水密性を保持するパッキンを介在させている。
【０００３】
【発明が解決しようとする課題】
ところで、繰り返し使用する飲料用容器の栓体では、パッキンも洗浄する必要があるが、一般的に、パッキンは蓋体の天井壁内側に嵌着されているので、取り外しが困難で十分な洗浄ができなかった。
【０００４】
そこで本発明は、パッキンの洗浄を容易にした飲料用容器の栓体を提供することを目的としている。
【０００５】
【課題を解決するための手段】
上記した目的を達成するため、本発明は、容器本体開口部に螺着脱自在に設けられる飲料用容器の栓体において、前記栓体は、前記容器本体開口部に螺着脱自在に設けられて上部を該容器本体開口部より上方に突出させる筒体と、該筒体の上部に螺着脱自在に設けられて筒体開口部を開閉する蓋体とで構成され、
前記蓋体は、天井壁の一部に開口部を形成し、該天井壁内側に前記開口部を塞ぐとともに前記筒体開口部を覆う弾性シール部材を有し、前記開口部の周囲下面を囲む筒状の鍔部が形成され、前記弾性シール部材に前記鍔部を挟む折り曲げ部が形成され、
前記シール部材の塞ぎ部は前記容器本体内の圧力が上昇した際に、前記蓋体の開口部から外方向に膨らむことを特徴とする。
【０００６】
【発明の実施の形態】
以下、本発明を魔法瓶の栓体に適用した実施形態例を図面に基づいて、さらに詳細に説明する。図１及び図２は本発明の第１実施形態例を示すもので、飲料用容器１は、断熱構造の容器本体２と、該容器本体２の上部に着脱可能に装着される栓体３とで構成されている。容器本体２は、上部を開口した金属製の内容器４及び外容器５の上端同士を一体に接合したもので、両容器４，５間に真空断熱構造の断熱部６を有している。内容器４は、胴部４ａから連続する肩部４ｂを小径に絞り、肩部４ｂから連続する首部４ｃを肩部最上部よりやや大径にして、首部４ｃ下部に段部４ｄを形成し、首部４ｃ内周壁に、前記栓体３を螺着するネジ部４ｅを形成している。外容器５は、胴部５ａ外周に合成樹脂製の握り部７を嵌着し、首部５ｂ外周壁に、合成樹脂製の首部材８を螺着するネジ部５ｃを形成している。
【０００７】
前記栓体３は、容器本体２の開口部内周壁の前記ネジ部４ｅに螺着脱自在に設けられて上部を容器本体２の開口部より上方に突出させる合成樹脂製の筒体９と、該筒体９の上部に螺着脱自在に設けられて筒体９の開口部を開閉する合成樹脂製の蓋体１０とを有している。
【０００８】
前記筒体９は、前記内容器４のネジ部４ｅに螺着される胴部９ａと、該胴部９ａの上部に連続して容器本体２の開口部より上方に突出する肩部９ｂと、該肩部９ｂの上部に連続する首部９ｃとからなり、肩部９ｂで径を絞り込んだ形状に形成されている。
【０００９】
前記胴部９ａ外周には、前記内容器４のネジ部４ｅに螺合するネジ部９ｄが形成されるとともに、該ネジ部９ｄの上下には、下部に前記内容器４の段部４ｄ内周壁に密着する下部パッキン１１の嵌着溝９ｅが、上部に前記内容器４のネジ部４ｅ上部の内周壁に密着する上部パッキン１２の嵌着溝９ｆがそれぞれ形成されている。前記下部パッキン１１の嵌着溝９ｅの上部壁９ｇには切り欠き部９ｈが形成されている。また、肩部９ｂ外周には、筒体９を螺動する握り部部材１３が固設されている。さらに、首部９ｃ外周には、前記蓋体１０を螺着するネジ部９ｉが形成されている。
【００１０】
前記蓋体１０は、周壁１０ａと天井壁１０ｂとを有している。周壁１０ａ内周には、前記筒体９のネジ部９ｉに螺合するネジ部１０ｃが形成されている。また、周壁１０ａ外周下部には、前記首部材８との間に連結される紐状の連結部材１４の接続部１０ｄが形成されている。天井壁１０ｂには、中央部に円形の開口部１０ｅと、該開口部１０ｅの周囲下面を囲む筒状の鍔部１０ｆとが形成されている。この天井壁１０ｂ内側には、前記筒体９の開口部全面を覆う弾性シール部材１５が備えられている。このシール部材１５は、天井壁１０ｂと筒体９の開口部上端縁とに挟まれて固定される外周部１５ａと、前記鍔部１０ｆを挟む折り曲げ部１５ｂと、前記鍔部１０ｆ内側の前記開口部１０ｅに挿入される塞ぎ部１５ｃとで構成されている。
【００１１】
このように構成することにより、シール部材１５を洗浄する際には、筒体９から取り外した蓋体１０の開口部１０ｅ内の塞ぎ部１５ｃを外から押せば、シール部材１５を取り外すことができ、シール部材１５を十分に洗浄できる。
【００１２】
また、この栓体３を備えた飲料用容器１には、炭酸飲料を入れておくことができる。すなわち、容器本体２に炭酸飲料を入れると、炭酸飲料中の炭酸ガスの発生により上昇する容器本体２内の圧力で、前記筒体９が径方向に膨らみ、ネジ部９ｄと前記内容器４のネジ部４ｅとの螺合を強めるとともに、下部パッキン１１及び上部パッキン１２を内容器４の首部４ｃ内周壁に強く密着させるから、栓体３が容器本体２から外れにくい構造となる。
【００１３】
このように強く密着した栓体３を取り外す際には、握り部部材１３を握って栓体３を緩める方向に回動すると、筒体９が上方向に動くと同時に下部パッキン１１が外方向に動き、嵌着溝９ｅとの間に隙間が発生し、容器本体２の内部圧力がこの隙間から前記切り欠き部９ｈを通って容器本体２の外部へ抜け、筒体９のネジ部９ｄと前記内容器４のネジ部４ｅとの螺合が弱まるとともに、下部パッキン１１の密着力も弱くなって、スムースな取り外しが可能となる。なお、胴部５ａ外周の握り部７と筒体９を螺動する握り部部材１３とをエラストマー樹脂等の弾性部材で形成することにより、滑り止めとなって、筒体９の螺着・取り外しが容易かつ確実に行える。
【００１４】
また、筒体９の上部を容器本体２の開口部より上方へ突出させることにより、筒体９内の上部が空洞となり、容器本体２内の圧力が上昇しても、この空洞部分で圧力を保持するバッファー効果が得られる。さらに、蓋体１０に備えられたシール部材１５の塞ぎ部１５ｃの弾性力を弱くしておくと、容器本体２内の圧力が上昇した際に、シール部材１５の塞ぎ部１５ｃが蓋体１０の開口部１０ｅから外方向に膨らみ、蓋体１０を装着した状態で容器本体２内の圧力状態を確認することができる。また、炭酸飲料だけでなく、容器本体２に熱い飲料を入れて容器本体２内の圧力が上昇した場合も同様に容器本体２内の圧力を感知することができる。
【００１５】
なお、蓋体１０の天井壁１０ｂとシール部材１５の塞ぎ部１５ｃの色を変えることにより、塞ぎ部１５ｃをより目立たせることができる。また、蓋体１０と容器本体２の首部材８との間を紐状の連結部材１４で連結することにより、例え容器本体２内に若干の圧力が残っていても、蓋体１０が飛ぶことがない。さらに、連結部材１４を伸縮可能な弾性部材とすることにより、連結部材１４の長さを短くでき、余分に弛ませることがないから邪魔にならない。
【００１６】
図３は本発明の第２実施形態例を示すものである。なお、前記第１実施形態例と同一要素には同一の符号を付して説明する。コップ状の蓋体２０は、周壁２０ａ内周に容器本体２のネジ部５ｃに螺合するネジ部２０ｂを形成し、天井壁２０ｃに、中央部に円形の開口部２０ｄと、該開口部２０ｄの周囲下面を囲む筒状の鍔部２０ｅとを形成し、天井壁２０ｃ内側に、前記第１実施形態例と同様に、容器本体２の開口部全面を覆う弾性シール部材１５を備えたものである。
【００１７】
なお、シール部材１５の形状は、上記各実施形態例のものに限定されるものではない。
【００１８】
【発明の効果】
以上説明したように、本発明は、容器本体開口部に螺着脱自在に設けられる飲料用容器の栓体において、前記栓体は、前記容器本体開口部に螺着脱自在に設けられて上部を該容器本体開口部より上方に突出させる筒体と、該筒体の上部に螺着脱自在に設けられて筒体開口部を開閉する蓋体とで構成され、
前記蓋体は、天井壁の一部に開口部を形成し、該天井壁内側に前記開口部を塞ぐとともに前記筒体開口部を覆う弾性シール部材を有し、前記開口部の周囲下面を囲む筒状の鍔部が形成され、前記弾性シール部材に前記鍔部を挟む折り曲げ部が形成され、
前記シール部材の塞ぎ部は前記容器本体内の圧力が上昇した際に、前記蓋体の開口部から外方向に膨らむことを特徴とするので、蓋体の開口部内のシール部材を外から押せば、シール部材を蓋体から取り外すことができ、シール部材を十分に洗浄できる。また、シール部材の弾性力を弱くしておけば、容器本体内の圧力が上昇した際に、開口部内のシール部材が膨らんで、容器本体内の圧力状態を確認できる。
【図面の簡単な説明】
【図１】  本発明の第１実施形態例を示す飲料用容器の上部断面図
【図２】  図１のＩＩ−ＩＩ断面図
【図３】  第２実施形態例を示す飲料用容器の上部断面図
【符号の説明】
１…飲料用容器、２…容器本体、３，２０…栓体、４…内容器、４ｅ…内容器のネジ部、５…外容器、６…断熱部、９…筒体、１０…蓋体、１０ｂ…蓋体の天井壁、１０ｃ…蓋体のネジ部、１０ｅ…蓋体の開口部、１０ｆ…鍔部、１５…シール部材、１５ｂ…折り曲げ部、１５ｃ…塞ぎ部
【図１】
0004605531.tif 000002
【図２】
0004605531.tif 000003
【図３】
0004605531.tif 000004